(57)【特許請求の範囲】
【請求項１】
潤滑油基油に、〔Ａ〕下記一般式（１）で表される硫化エステル、および〔Ｂ〕連鎖停止剤を含有する潤滑油組成物であり、下記一般式（１）で表される硫化エステルの含有量が、潤滑油組成物基準で硫黄元素量として１５〜４００質量ｐｐｍであり、含硫黄金属錯体を実質的に含有しないことを特徴する潤滑油組成物。
【化１】
0006294191.tif 000009
（式中のＲ１およびＲ２はそれぞれ個別に水素原子またはヒドロカルビル基を示す。ただし、少なくとも一方はヒドロカルビル基である。ｌ，ｎ，ｍ，ｏはそれぞれ個別に２以上の整数であり、ｌとｍの和は１２〜２０、ｎとｏの和は１２〜２０である。ｘは１〜３の整数を示す。）
【請求項２】
〔Ｂ〕連鎖停止剤がヒンダードフェノールであることを特徴とする請求項１記載の潤滑油組成物。
【請求項３】
潤滑油基油の硫黄分が１０質量ｐｐｍ以下であることを特徴する請求項１または２記載の潤滑油組成物。
【請求項４】
燃焼室を潤滑しない機械用潤滑油として用いられることを特徴とする請求項１〜３のいずれかに記載の潤滑油組成物。
【発明の詳細な説明】
【技術分野】
【０００１】
本発明は潤滑油組成物に関し、詳しくは含硫黄金属錯体を実質的に含有せず、今まで以上に酸化安定性、低スラッジ性に優れる潤滑油組成物に関する。
【背景技術】
【０００２】
潤滑油はエンジン油、駆動系油、タービン油、作動油、グリースなど様々な用途で使用されている。そのいずれの用途においても、熱や光などにより生成する酸化劣化の活性種であるパーオキシラジカルや過酸化物と接触するため、優れた耐酸化性が求められる。こうしたことから、潤滑油には酸化劣化を防ぐため、酸化防止剤の添加が不可欠である。
潤滑油の酸化防止剤としては、芳香族アミン化合物やフェノール化合物等の連鎖停止剤、硫黄化合物やモリブデン化合物等の過酸化物分解剤などが従来より知られている。また、各種酸化防止剤の性能は、使用温度域で異なることや、相乗効果を期待して複数のものを併用することも行われている。
芳香族アミン化合物やフェノール化合物などの無灰系の酸化防止剤はスラッジの生成が少ない特長を有している反面、自己犠牲型ゆえ消耗し長期間に潤滑油の劣化を防ぐことができない問題点があった。
一方、ジアルキルジチオリン酸亜鉛やモリブデン化合物など含硫黄金属錯体の過酸化物分解能は、触媒的に作用することが知られており、長期に酸化劣化を防止することができる。しかし、これらは使用過程にスラッジ化して、機器の損傷を招くなどの課題があった。
無灰硫黄系化合物は、含硫黄金属錯体と同様に過酸化物分解剤と機能する。しかし、代表的な無灰硫黄系酸化防止剤であるベンジルジスルフィドなどは、含硫黄金属錯体と比較して活性が低いなどの問題点を抱えていた。
【先行技術文献】
【特許文献】
【０００３】
【特許文献１】特開２０１０−２４２０８５号公報
【発明の概要】
【発明が解決しようとする課題】
【０００４】
本発明は、従来の硫黄系酸化防止剤と連鎖停止剤の組み合わせでは両立が不可能であった、優れた酸化寿命と低スラッジ性を両立した潤滑油組成物を提供することを目的とするものである。特に使用温度が低く、燃焼室を潤滑しない機械用潤滑油として好適に用いられる。
【課題を解決するための手段】
【０００５】
本発明者らは鋭意研究を重ねた結果、潤滑油基油に、〔Ａ〕所定量の特定構造の架橋型硫化エステルと〔Ｂ〕連鎖停止剤を配合した潤滑油組成物が、その目的を達成することを見出し、本発明を完成したものである。
【０００６】
すなわち、本発明は、潤滑油基油に、〔Ａ〕下記一般式（１）で表される硫化エステル、および〔Ｂ〕連鎖停止剤を含有する潤滑油組成物であり、下記一般式（１）で表される硫化エステルの含有量が、潤滑油組成物基準で硫黄元素量として１５〜４００質量ｐｐｍであり、含硫黄金属錯体を実質的に含有しないことを特徴する潤滑油組成物に関する。
【化１】
0006294191.tif 000002
（式中のＲ１およびＲ２はそれぞれ個別に水素原子またはヒドロカルビル基を示す。ただし、少なくとも一方はヒドロカルビル基である。ｌ，ｎ，ｍ，ｏはそれぞれ個別に２以上の整数であり、ｌとｍの和は１２〜２０、ｎとｏの和は１２〜２０である。ｘは１〜３の整数を示す。）
【０００７】
また、本発明は、〔Ｂ〕連鎖停止剤がヒンダードフェノールであることを特徴とする前記の潤滑油組成物である。
また、本発明は、潤滑油基油の硫黄分が１０質量ｐｐｍ以下であることを特徴する前記の潤滑油組成物である。
さらに、本発明は、燃焼室を潤滑しない機械用潤滑油として用いられることを特徴とする前記の潤滑油組成物である。
【発明の効果】
【０００８】
本発明の潤滑油組成物は、優れた酸化寿命と低スラッジ性を両立した潤滑油組成物であり、使用温度が低い場合に特にその効果を発揮するため、使用温度が低く、燃焼室を潤滑しない機械用潤滑油として好適である。
【発明を実施するための形態】
【０００９】
以下、本発明について詳述する。
【００１０】
本発明の潤滑油組成物の潤滑油基油としては、鉱油、合成油および油脂が用いられる。これらは混合物であってもよい。
【００１１】
鉱油としては、例えば、原油を常圧蒸留及び減圧蒸留して得られた潤滑油留分を、溶剤脱れき、溶剤抽出、水素化分解、溶剤脱ろう、接触脱ろう、接触脱ろう、水素化精製、硫酸洗浄、白土処理等の精製処理を１種又は２種以上適宜組み合わせて精製したパラフィン系鉱油又はナフテン系鉱油が挙げられる。
【００１２】
合成油としては、例えば、プロピレンオリゴマー、ポリブテン、ポリイソブチレン、１−オクテンオリゴマー、１−デセンオリゴマー、エチレンとプロピレンとのコオリゴマー、エチレンと１−オクテンとのコオリゴマー、エチレンと１−デセンとのコオリゴマー等のポリα−オレフィン（ＰＡＯ）又はそれらの水素化物；イソパラフィン；モノアルキルベンゼン、ジアルキルベンゼン、ポリアルキルベンゼン等のアルキルベンゼン；モノアルキルナフタレン、ジアルキルナフタレン、ポリアルキルナフタレン等のアルキルナフタレン；ジオクチルアジペート、ジ−２−エチルヘキシルアジペート、ジイソデシルアジペート、ジトリデシルアジペート、ジ−２−エチルヘキシルセバケート、ジトリデシルグルタレート等の二塩基酸エステル；トリメリット酸等の三塩基酸エステル；トリメチロールプロパンカプリレート、トリメチロールプロパンペラルゴネート、トリメチロールプロパンオレート、ペンタエリスリトール２−エチルヘキサノエート、ペンタエリスリトールペラルゴネート等のポリオールエステル；ポリエチレングリコール、ポリプロピレングリコール、ポリオキシエチレンオキシプロピレングリコール、ポリエチレングリコールモノエーテル、ポリプロピレングリールモノエーテル、ポリオキシエチレンオキシプロピレングリコールモノエーテル、ポリエチレングリコールジエーテル、ポリプロピレングリコールジエーテル、ポリオキシエチレンオキシプロピレングリコールジエーテル等のポリグリコール；モノアルキルジフェニルエーテル、ジアルキルジフェニルエーテル、モノアルキルトリフェニルエーテル、ジアルキルトリフェニルエーテル、テトラフェニルエーテル、モノアルキルテトラフェニルエーテル、ジアルキルテトラフェニルエーテル、ペンタフェニルエーテル等のフェニルエーテル；シリコーン油；パーフルオロエーテル等のフルオロエーテル、等が挙げられ、これらは１種を単独で又は２種以上を組み合わせて用いることができる。
【００１３】
油脂としては、例えば、牛脂、豚脂、大豆油、菜種油、米ぬか油、ヤシ油、パーム油、パーム核油、これらの水素添加物もしくはこれらの２種以上の混合物などが挙げられる。
【００１４】
潤滑油基油の硫黄分は、１０質量ｐｐｍ以下が好ましく、５質量ｐｐｍ以下がより好ましく、１質量ｐｐｍ以下が最も好ましい。硫黄分を１０質量ｐｐｍ以下とすることで、酸化安定性をさらに向上させることができる。
なお、本発明でいう硫黄分とは、ＩＣＰ法により測定される値をいう。
【００１５】
潤滑油基油の全芳香族含有量は、特に制限はないが、酸化安定性の観点から、２５質量％以下であることが好ましく、１５質量％以下であることがより好ましく、５質量％以下であることがさらに好ましい。
なお、本発明でいう全芳香族含有量とは、石油学会法ＪＰＩ−５Ｓ−４９−９７「石油製品−炭化水素タイプ試験方法−高速液体クロマトグラフ」で測定される全芳香族の含有量を意味する。
【００１６】
潤滑油基油の４０℃における動粘度は、特に制限はないが、１〜１００ｍｍ２／ｓが好ましく、５〜８０ｍｍ２／ｓがより好ましく、１０〜５０ｍｍ２／ｓがさらに好ましい。４０℃動粘度が１ｍｍ２／ｓ未満だと潤滑性が低下し、またミストの発生で作業環境が悪化するため好ましくない。
なお、本発明でいう４０℃における動粘度とは、毛細管計測法により測定される値をいう。
【００１７】
本発明に係る潤滑油基油の粘度指数は、特に制限はないが、１００以上であることが好ましく、１１０以上がより好ましく、１２０以上がさらに好ましい。一方、２００以下であることが好ましい。粘度指数を１００以上とすることで、粘度−温度特性および熱・酸化安定性、揮発防止性が良好となり、摩擦係数が低下する傾向にあり、また、摩耗防止性が向上する傾向にある。また、粘度指数が２００以下とすることで、低温粘度特性が向上する傾向にある。
なお、本発明でいう粘度指数とは、ＪＩＳ  Ｋ  ２２８３に準拠して測定された粘度指数を意味する。
【００１８】
本発明の潤滑油組成物は、〔Ａ〕成分として、下記一般式（１）で表される硫化エステルまたはこれらの混合物を含有する。
【００１９】
【化２】
0006294191.tif 000003
【００２０】
上記一般式（１）におけるＲ１およびＲ２は、それぞれ個別に水素原子またはヒドロカルビル基を示す。ただし、Ｒ１、Ｒ２は、いずれか一方または両方がヒドロカルビル基である。
ヒドロカルビル基の炭素数は、特に制限はないが、通常１〜２４であり、好ましくは１〜３である。ヒドロカルビル基としては、具体的には、メチル基、エチル基、プロピル基、イソプロピル基などのアルキル基；シクロプロピル基、シクロブチル基、シクロペンチル基、シクロヘキシル基などのシクロアルキル基；フェニル基、クレジル基などのアリール基を挙げることができる。
これらの中では潤滑面の吸着性や酸化安定性の観点からアルキル基が好ましく、メチル基、エチル基が特に好ましい。
【００２１】
上記一般式（１）におけるｌ、ｎ、ｍおよびｏは、それぞれ個別に２以上の整数であり、ｌとｍの和は１２〜２０、ｎとｏの和は１２〜２０である。
ｌとｎの和またはｎとｏの和が１２未満だと基油に対する溶解性が低下し、一方２０を超えると低温での貯蔵安定性が低下する。
【００２２】
上記一般式（１）におけるｘは１〜３の整数であり、好ましくは１または２である。ｘが３を超えると酸化防止能の低下や銅腐食性が高くなる。
【００２３】
上記一般式（１）で表される硫化エステルは、１つの不飽和結合を有する脂肪酸または脂肪酸エステル２分子が硫黄原子によって架橋したものであり、上記の脂肪酸または脂肪酸エステルの硫化物として得ることができる。このとき架橋する２分子は同一の化合物であっても異なる化合物であっても良い。このような脂肪酸または脂肪酸エステルとしては、例えば、オレイン酸、オレイン酸メチル、オレイン酸エチル、オレイン酸グリセライド等が挙げられる。
【００２４】
上記のような脂肪酸エステルを硫化処理した後、上記一般式（１）で表される硫化エステルを精製する方法は、特に限定されず任意の方法が利用できる。例えば、シリカゲルを用いたゲルクロマトグラフィによる抽出などが挙げられる。
【００２５】
一般式（１）で示される硫化エステルの具体例としては、オレイン酸メチルの硫化物等が挙げられる。
【００２６】
上記一般式（１）で表される硫化エステルの含有量は、硫黄量として組成物全量基準で１５〜４００質量ｐｐｍであり、２０〜３００質量ｐｐｍが好ましい。１５質量ｐｐｍ未満だと充分な効果を得ることができず、４００質量ｐｐｍを超えると潤滑油組成物の酸化安定性が低下する傾向がみられる。
【００２７】
本発明の潤滑油組成物は、［Ｂ］成分として、連鎖停止剤を含有する。
【００２８】
連鎖停止剤としては、具体的には例えば、ヒンダードフェノール系化合物や芳香族アミン系化合物などが挙げられる。これらのなかでも、ヒンダードフェノールが好ましい。
【００２９】
ヒンダードフェノール系化合物としては、具体的には、例えば、４，４’−メチレンビス（２，６−ジ−ｔｅｒｔ−ブチルフェノール）、４，４’−ビス（２，６−ジ−ｔｅｒｔ−ブチルフェノール）、４，４’−ビス（２−メチル−６−ｔｅｒｔ−ブチルフェノール）、２，２’−メチレンビス（４−エチル−６−ｔｅｒｔ−ブチルフェノール）、２，２’−メチレンビス（４−メチル−６−ｔｅｒｔ−ブチルフェノール）、４，４’−ブチリデンビス（３−メチル−６−ｔｅｒｔ−ブチルフェノール）、４，４’−イソプロピリデンビス（２，６−ジ−ｔｅｒｔ−ブチルフェノール）、２，２’−メチレンビス（４−メチル−６−ノニルフェノール）、２，２’−イソブチリデンビス（４，６−ジメチルフェノール）、２，２’−メチレンビス（４−メチル−６−シクロヘキシルフェノール）、２，６−ジ−ｔｅｒｔ−ブチル−４−メチルフェノール、２，６−ジ−ｔｅｒｔ−ブチル−４−エチルフェノール、２，４−ジメチル−６−ｔｅｒｔ−ブチルフェノール、２，６−ジ−ｔｅｒｔ−α−ジメチルアミノ−ｐ−クレゾール、２，６−ジ−ｔｅｒｔ−ブチル−４（Ｎ，Ｎ’−ジメチルアミノメチルフェノール）、４，４’−チオビス（２−メチル−６−ｔｅｒｔ−ブチルフェノール）、４，４’−チオビス（３−メチル−６−ｔｅｒｔ−ブチルフェノール）、２，２’−チオビス（４−メチル−６−ｔｅｒｔ−ブチルフェノール）、ビス（３−メチル−４−ヒドロキシ−５−ｔｅｒｔ−ブチルベンジル）スルフィド、ビス（３，５−ジ−ｔｅｒｔ−ブチル−４−ヒドロキシベンジル）スルフィド、２，２’−チオ−ジエチレンビス［３−（３，５−ジ−ｔｅｒｔ−ブチル−４−ヒドロキシフェニル）プロピオネート］、オクチル−３−（３，５−ジ−ｔｅｒｔ−ブチル−４−ヒドロキシフェニル）プロピオネート、トリデシル−３−（３，５−ジ−ｔｅｒｔ−ブチル−４−ヒドロキシフェニル）プロピオネート、ペンタエリスリチル−テトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、及びこれらの混合物等が挙げられる。
また、これらの中でも分子量が２４０以上のフェノール系化合物は、分解温度が高く、より高温条件においてもその酸化防止効果が発揮されるため、より好ましく用いられる。
【００３０】
芳香族アミン系化合物としては、具体的には、フェニル−α−ナフチルアミン、アルキルフェニル−α−ナフチルアミン、ジアルキルジフェニルアミン、Ｎ，Ｎ’−ジフェニル−ｐ−フェニレンジアミン及びこれらの混合物が挙げられる。ここでアルキル基としては炭素数１〜２０の直鎖又は分岐のアルキル基が挙げられる。
【００３１】
連鎖停止剤の含有量は、特に制限はないが、組成物全量基準で、好ましくは０．０１〜〜１０質量％であり、より好ましくは０．０５〜５質量％であり、さらに好ましくは０．１〜１質量％である。
連鎖停止剤の含有量が０．０１質量％以上とすることで、十分な酸化安定性が得ら、１０質量％以下であると基油への十分な溶解性が得られることや、スラッジの発生量が低下するため、それぞれ好ましい。
【００３２】
本発明の潤滑油組成物は、含硫黄金属錯体を実質的に含有しないことを特徴とする。本発明の潤滑油組成物は、含硫黄金属錯体を実質的に含有しないことにより、低スラッジ性を実現している。
【００３３】
含硫黄金属錯体とは、構造中に硫黄原子を含む有機化合物と金属元素との錯体一般を広く意味する。含硫黄金属錯体としては、例えば、ジチオリン酸亜鉛化合物、ジチオカルバミン酸亜鉛化合物、ジチオリン酸モリブデン化合物、ジチオカルバミン酸モリブデン化合物が挙げられる。
【００３４】
ジチオリン酸亜鉛化合物、ジチオカルバミン酸亜鉛化合物、ジチオリン酸モリブデン化合物及びジチオカルバミン酸モリブデン化合物とは、それぞれ下記一般式（２）〜（５）で表される化合物である。
【化３】
0006294191.tif 000004
【化４】
0006294191.tif 000005
【化５】
0006294191.tif 000006
【化６】
0006294191.tif 000007
［式（２）〜（５）中、Ｒ３〜Ｒ１８は同一でも異なっていてもよく、それぞれ炭素数１以上の炭化水素基を表し、Ｘ１及びＸ２はそれぞれ酸素原子又は硫黄原子を表す。］
【００３５】
本発明において、『含硫黄金属錯体を実質的に含有しない』とは、含硫黄金属錯体を全く含有していないか、含有している場合であっても影響が無視できる程度に極めて微量しか含有していないことを言う。
より具体的には、含硫黄金属錯体の含有量は、金属元素量として組成物全量基準で、５０質量ｐｐｍ以下であることが好ましく、より好ましくは１０質量ｐｐｍ以下であり、最も好ましくは０質量ｐｐｍである。
【００３６】
本発明の潤滑油組成物は、上記構成により酸化安定性および低スラッジ性に優れる潤滑油組成物を得ることができるが、その性能をさらに高める目的で、あるいは潤滑油組成物として必要な性能をさらに付与する目的で、公知の潤滑油添加剤を加えることができる。
かかる添加剤としては、例えば、カルシウムスルホネート等の金属系清浄剤；ジエチレングリコールモノアルキルエーテル等の湿潤剤；アクリルポリマー、パラフィンワックス、マイクロワックス、スラックワックス、ポリオレフィンワックス等の造膜剤；脂肪酸アミン塩等の水置換剤；グラファイト、フッ化黒鉛、二硫化モリブデン、窒化ホウ素、ポリエチレン粉末等の固体潤滑剤；アミン、アルカノールアミン、アミド、カルボン酸、カルボン酸塩、スルホン酸塩、リン酸、リン酸塩、多価アルコールの部分エステル等の腐食防止剤；ベンゾトリアゾール、チアジアゾール等の金属不活性化剤；メチルシリコーン、フルオロシリコーン、ポリアクリレート等の消泡剤；アルケニルコハク酸イミド、ベンジルアミン、ポリアルケニルアミンアミノアミド等の無灰分散剤；等が挙げられる。これらの公知の添加剤を併用する場合の含有量は特に制限されないが、これらの公知の添加剤の合計含有量が潤滑油組成物全量基準で０．１〜１０質量％となるような量で添加するのが一般的である。
【００３７】
本発明の潤滑油組成物の動粘度は、特に制限されないが、潤滑部位への供給容易性の点から、４０℃における動粘度は、１００ｍｍ２／ｓ以下であることが好ましく、８０ｍｍ２／ｓ以下であることがより好ましく、５０ｍｍ２／ｓ以下であることがさらに好ましい。
一方、４０℃における動粘度は、１ｍｍ２／ｓ以上であることが好ましく、２ｍｍ２／ｓ以上であることがより好ましく、３ｍｍ２／ｓ以上であることがさらに好ましい。
【００３８】
本発明の潤滑油組成物は、優れた酸化寿命と低スラッジ性を両立できるため、広範な用途において好適に使用することができる。特に、１２０℃以下などの使用温度が低い場合にその効果をより発揮するため、燃焼室を潤滑しない機械用潤滑油として好適に用いることができる。
【実施例】
【００３９】
以下に実施例を挙げて本発明を具体的に説明するが、本発明はこれらの実施例に限定されるものではない。
なお、実施例及び比較例で用いた基油及び添加剤は下記の通りである。
【００４０】
［潤滑油基油］
基油−１；高度精製鉱油基油（全芳香族含有量：０．３質量％、硫黄分：０質量ｐｐｍ、４０℃動粘度：３５ｍｍ２／ｓ、粘度指数：１２０）
【００４１】
［硫黄含有化合物］
（〔Ａ〕成分）；
Ａ−１；硫化オレイン酸メチルの混合物（Ｒ１、Ｒ２：メチル基、ｌ＋ｍ＝１４、ｎ＋ｏ＝１４、ｘ＝１〜３、硫黄量：１０．５質量％）
Ａ−２；硫化オレイン酸エチルの混合物（Ｒ１、Ｒ２：エチル基、ｌ＋ｍ＝１４、ｎ＋ｏ＝１４、ｘ＝１〜３、硫黄量：１０質量％）
Ａ−１、Ａ−２は、１５０ｇのシリカゲルをガラス管に詰めたのち、１．５ｇの硫化エステル（ＤＯＧ社製Ｍ１０）を充填し、ヘキサン１５０ｍｌ、トルエン１００ｍｌで抽出したのち、アセトン５％とトルエン９５％の混合溶媒１００ｍｌで抽出した画分から得られる。
（〔Ａ〕成分以外の硫黄含有化合物）；
Ｓ−１；硫化オレイン酸メチルの混合物（Ｒ１、Ｒ２：メチル基、ｌ＋ｍ＝１４、ｎ＋ｏ＝１４、ｘ＝４〜７、硫黄量：２１質量％）
Ｓ−２；ジベンジルジスルフィド（東京化成工業株式会社製、硫黄量：２６質量％）
【００４２】
［〔Ｂ〕連鎖停止剤］
Ｂ−１；フェノール系酸化防止剤（ジ−ｔｅｒｔ−ブチル−ｐ−クレゾール）
Ｂ−２；フェノール系酸化防止剤（ＢＡＳＦ社製、商品名「Ｌ１３５」）
【００４３】
（実施例１〜５および比較例１〜５）
表１に各種の潤滑油基油及び添加剤の配合量と性能を記載した。基油の配合量（質量％）、各添加剤の添加量（質量％）は潤滑油組成物全量基準である。
得られた各組成物について、酸化安定度およびスラッジ防止性能を以下に示すＡＬＣＯＡ試験により評価した。この試験はＡＳＴＭ−Ｄ９４３に規定されているタービン油酸化安定度試験（ＴＯＳＴと略す）と良好な相関性を持つことが知られている。
【００４４】
（ＡＬＣＯＡ試験）
１１５ｍｌのフラスコに試験油１３ｍｌを採取し、触媒として＃２４０研摩の銅線（１．６ｍｍφ×５ｃｍ）を５本入れる。次にフラスコ内を酸素ガスで置換し、すばやく水銀マノメータで密封する。その後、１１５℃の油浴にフラスコを浸漬し１時間放置する。この時のマノメータの差圧を読み、試験時間０ｈとして記録する。この値は、本実験に使用した全ての試験油に共通して約２００ｍｍＨｇであった。その後は一定時間ごとに差圧を測定し、酸素圧の降下が５０ｍｍＨｇ以上になった時間を試験油の酸化寿命とした。また、試験後の試料油を目視し、不溶分（スラッジ）の有無を確認した。
【００４５】
【表１】
0006294191.tif 000008